(57)【特許請求の範囲】
【請求項１】
トレー上の薬品類セット状況をタグ読取にて把握する薬品セット装置であって、タグリーダに接続されたアンテナとこのアンテナの上方に固定された又は載置されるトレー部とを具備した検知装置と、薬品類を一つ載せて置ける座体部とその薬品類によって前記座体部に対する位置または姿勢を規制される可動部と前記アンテナを介する通信の可否状態が前記アンテナと前記座体部との相対位置を変えるまでもなく前記座体部に対する前記可動部の位置または姿勢に応じて切り替わる電子タグとを具備しており前記トレー部に複数個を入れられる大きさの薬品座具とを備えたことを特徴とする薬品セット装置。
【請求項２】
薬品類セット用のトレーに複数個を入れられる大きさに形成された薬品座具であって、薬品類を一つ載せて置ける座体部と、その薬品類によって前記座体部に対する位置または姿勢を規制される可動部と、下方の外部アンテナを介する通信の可否状態が前記アンテナと前記座体部との相対位置を変えるまでもなく前記座体部に対する前記可動部の位置または姿勢に応じて切り替わる電子タグとを備えたことを特徴とする薬品座具。
【請求項３】
前記座体部に薬品類を置くとその薬品類との干渉によって前記可動部が規制されるのに伴って前記電子タグが通信可能状態になり、前記座体部から薬品類を取り出すと前記可動部の規制が解除されて前記電子タグが通信不可状態になりうるものであることを特徴とする請求項２記載の薬品座具。
【請求項４】
前記電子タグが通信不可状態になるように前記可動部を付勢する手段が設けられていることを特徴とする請求項３記載の薬品座具。
【発明の詳細な説明】
【技術分野】
【０００１】
この発明は、医療現場でトレーにセットして使用される薬品類のセット状況や使用状況をタグ読取（たとえばＲＦＩＤ等の近距離無線通信方式タグ情報読取）にて把握する薬品セット装置に関し、さらには、接触不要でアクセスしうるＲＦタグやＩＣタグといった電子タグを装備した薬品座具に関する。
なお、薬品類には、アンプル・バイアル・造影剤等の注射薬の他、箱・ボトル等に収容された錠剤・散剤等の医薬品や、薬品と一緒に使用される補助薬品も該当する。
【背景技術】
【０００２】
手術室等の医療現場では、手術等の処置に先だち注射薬等の薬品をセットして即ち適宜区分しつつ並べて準備しておくことで、処置を行い易いようにしているが、処置中に薬品が不足するといけないので、薬品を余分に準備しておいて、処置が終わってから、余った薬品を薬局等に返却するとともに、処置中に使用した薬品を数えている。
その作業を看護師等がバケツ等の廃棄用容器の中を漁るようにして行うのは、肉体的にも精神的にも負担が重く、注射薬のアンプル等が割れていたり注射器等が混じり込んでいると作業が困難で辛いことから、トレーにセットされた薬品類の使用状況を簡便かつ的確に把握しうる薬品管理システムが実用化されている（例えば特許文献１参照）。
この薬品管理システムは、トレーを運ぶ薬品カートに撮像装置を装備していて、トレーにセットされた薬品類やトレーに残っていた薬品類を撮影し、その画像処理にて計数することにより、セット状況や使用状況を把握するようになっている。
【０００３】
また、手術前室等でトレーに薬品類をセットする際にも、トレーにセットしきれないほど多くの薬品類を整列収納しておいて手術室等で用いる場合にも、使い易いよう、一動作で薬品類を手中にでき而も列びを乱さずに薬品類を戻せて更に収納状況の把握も的確な薬品収納装置が開発されている（例えば特許文献２参照）。この薬品収納装置は、薬品類を整列収納する多数のカセットにおける薬品類の収納数を求める計数手段を備えている。
さらに、非接触で通信しうるＩＣタグを組み込んだクリップ等の装着具を物品に付けて物品有無検出等を行う技術を応用して、対象物品へのＩＣタグの着脱や付け替えが容易に行えるうえ装着対象物を並べて置けばその位置まで含めて自動管理することができるようになったタグ検知システムも実現されている（例えば特許文献３参照）。このシステムでは、弾性部材を含んだ装着手段にてＩＣタグが固定部材に係止される。
【０００４】
【特許文献１】特開２００１−１９８１９１号公報
【特許文献２】特開２００１−１９８１９０号公報
【特許文献３】特開２００５−１５７６９４号公報
【発明の開示】
【発明が解決しようとする課題】
【０００５】
このような従来装置では、カートにトレーをおいて撮影する薬品管理システムの場合、薬品類のセットや持ち運びにトレーが使用されるので、簡便で使い易く、現場への導入も容易であるが、薬品類が撮像可能なものに限定されることや、リアルタイム化にコストが掛かるのでバッチ式しか実用化されていないといった制約もある。
また、一動作で薬品類を手中にできる等の利点を持った薬品収納装置は導入先で好評を博しているが、トレーに比べれば装置が大きいため、手術室に持ち込むのはトレーほど簡単でない。
【０００６】
そのため、医療現場でトレーにセットして使用される薬品類のセット状況や使用状況を簡便かつ的確に而も随時把握しうる装置の開発が望まれる。
そして、そのような装置を実用的なコストで実現する手段として、単価低減の著しいＲＦＩＤ(Radio Frequency IDentification)の適用が考えられる。
しかしながら、従来のタグ検知システムのように検出対象物にタグを付けるのでは、薬品類のセット時や使用時に薬品類を摘む動作だけでなくタグ着脱の作業も行わなければならないため、注射薬等をワンタッチで使う手術室等では使いづらい。
そこで、トレー上の薬品類のセット状況や使用状況をタグ検出に基づいて把握する装置であっても一動作で薬品類をトレーに出し入れできるよう装置を改良することが技術的な課題となる。
【課題を解決するための手段】
【０００７】
本発明の薬品セット装置は（解決手段１）、このような課題を解決するために創案されたものであり、トレー上の薬品類セット状況をタグ読取にて把握するために、次の検知装置と薬品座具とを備えている。
すなわち、検知装置は（当初請求項１）、タグリーダに接続されたアンテナと、このアンテナの上方に固定された又は載置されるトレー部とを具備したものである。
また、薬品座具（当初請求項１，２）は、薬品類セット用のトレー（即ち前記トレー部）に複数個を入れられる大きさに形成された薬品座具であって、薬品類を一つ載せて置ける座体部と、その薬品類によって位置または姿勢を規制される可動部と、下方の外部アンテナ（即ち前記アンテナ）を介する通信の可否状態が前記可動部の位置または姿勢に応じて切り替わる電子タグとを備えている。
【０００８】
また、本発明の薬品セット装置および薬品座具は（解決手段２）、上記解決手段１の薬品座具であって、前記座体部に薬品類を置くとその薬品類との干渉によって前記可動部が規制されるのに伴って前記電子タグが通信可能状態になり、前記座体部から薬品類を取り出すと前記可動部の規制が解除されて前記電子タグが通信不可状態になりうるものであることを特徴とする（当初請求項３）。
【０００９】
さらに、本発明の薬品セット装置および薬品座具は（解決手段３）、上記解決手段２の薬品座具であって、前記電子タグが通信不可状態になるように前記可動部を付勢する手段が設けられていることを特徴とする（当初請求項４）。
【発明の効果】
【００１０】
このような本発明の薬品セット装置にあっては（解決手段１）、トレー部の下方のアンテナを介する通信が可能になっている電子タグは検知装置のタグリーダによって検出されるので、薬品類と電子タグとを一対一で組み合わせて検知装置のトレー部に入れれば、検知装置によってトレー上の薬品類のセット状況や使用状況が把握される。
また、薬品類と電子タグとの組み合わせに際しては、電子タグを薬品類に着脱するのでなく、電子タグを予め装着した薬品座具を適宜な個数だけ適宜な配置でトレーに入れておき、それぞれの薬品座具の座体部に薬品類を一つずつ載せ置くことにより、薬品類と電子タグとの組み合わせが確立される。
【００１１】
そして、薬品座具に薬品類が置かれると、その薬品類によって薬品座具の可動部が規制され、それに応じてアンテナを介する通信の可否状態が切り替えられ、これに伴って検知装置による電子タグの検出状態が変化し、ひいては薬品類の有無が判別されることとなる。このように、電子タグを薬品類に着脱するのでなくトレーに装着しておくのでもなくトレー上で配置変え自在な薬品座具に装着しておいて、薬品座具への薬品類の載置によって可動部が規制を受け、その影響が電子タグの検出に及ぶようにしたことにより、薬品類のセット時や使用時に薬品類を摘んで動かすとき一緒に可動部も動かせば、電子タグの着脱等の余分な動作を行わなくても、トレーに薬品類を出し入れする一動作で電子タグの検出状態が切り替わる。したがって、この発明によれば、一動作で薬品類をトレーに出し入れできるうえトレー上の薬品類のセット状況や使用状況をタグ検出に基づいて把握する薬品セット装置および薬品座具を実現することができる。
【００１２】
また、本発明の薬品座具（解決手段２）を含んだ薬品セット装置にあっては、トレー上の薬品座具に薬品類を載せ置くと電子タグが検出されるようにしたことにより、そうでない場合より的確に薬品類のセット状況や使用状況を把握することができる。薬品座具に薬品類を載せないときに電子タグが検出されるようにすると、トレー上の薬品座具に薬品類を載せ置いたときだけでなく、薬品座具をトレーから出したときにも、電子タグの検出がなくなり、動作停止時に薬品類や薬品座具が取り出されると判別が困難になるが、本発明の薬品座具にはそのような不都合がない。
【００１３】
さらに、本発明の薬品座具（解決手段３）を含んだ薬品セット装置にあっては、薬品座具から薬品類を取り出すと可動部の付勢によって自動で電子タグが検出されなくなるようにしたことにより、可動部の操作を忘れたような場合でも電子タグの通信状態が適切な状態に切り替わるので、薬品類のセット状況や使用状況がより一層的確に把握される。
【発明を実施するための最良の形態】
【００１４】
このような本発明の薬品セット装置および薬品座具について、これを実施するための具体的な形態を、以下の実施例１〜６により説明する。
図１〜２に示した実施例１は、上述した解決手段１〜２（出願当初の請求項１〜３）を具現化したものであり、図３に示した実施例２は、上述した解決手段１〜３（出願当初の請求項１〜４）を具現化したものであり、図４に示した実施例３は、上述した解決手段１，３（出願当初の請求項１〜２，４）を具現化したものであり、図５に示した実施例４や，図６に示した実施例５，図７に示した実施例６は、上述した解決手段１〜３（出願当初の請求項１〜４）を具現化したものである。
なお、それらの図示に際しては、簡明化等のため、ボルト等の締結具や，ヒンジ等の連結具，詳細な電子回路などは図示を割愛し、発明の説明に必要なものや関連するものを中心に図示した。
【実施例１】
【００１５】
本発明の薬品セット装置の実施例１について、その具体的な構成を、図面を引用して説明する。図１は、（ａ）が薬品セット装置１０＋２０全体の外観斜視図、（ｂ）が空の薬品座具２０の外観斜視図、（ｃ）が薬品類８と薬品座具２０との外観斜視図、（ｄ）が電子回路のブロック図である。また、図２は、薬品座具２０の詳細構造を示し、（ａ）が座体部２１の平面図と正面図と左側面図、（ｂ）が可動部２６の平面図と正面図と左側面図、（ｃ）が空の薬品座具２０の平面図と正面図、（ｄ）が薬品類８を乗せ置いた薬品座具２０の平面図と正面図である。
【００１６】
この薬品セット装置１０＋２０は（図１参照）、トレーと一体になった検知装置１０と、複数・多数の薬品座具２０とを具えている。
検知装置１０は、電子回路や操作部材等を装備した電装部１２と、セット薬品等を出し入れし易い状態で並べて収めるために盆状・浅皿状に形成されたトレー部１３と、トレー部１３の下方にアンテナ１４を張り巡らせた状態で保持するアンテナ保持部とを具えており、それらの枠体が一体形成や連結組上にて一塊の物となっている。アンテナ１４は、単一の例を図示したが、複数が配設されていても良く、要するに、トレー部１３の全域を近距離無線通信可能範囲としてカバーしていれば良い。
【００１７】
電装部１２には、アンテナ１４に接続されていてアンテナ１４を介する近距離無線通信方式にて電子タグ識別情報（タグ情報）を読み取るタグリーダ１５と、タグ情報に基づいて薬品類のセット状況や使用状況を把握する管理プログラムや管理データを有するマイクロプロセッサ１７（ＭＰＵ）と、持ち運び時や停電時に電力を供給するバッテリ１９（電池）とが内蔵され、薬品類セット時や薬品類使用時に管理プログラムの動作モードを切り替えるための操作部材としてのスイッチ１６（ＳＷ）と、薬品類８のラベルに印刷されているバーコードやＯＣＲ文字などの薬品識別情報を読み取るラベルリーダ１８とが外装されている。
【００１８】
マイクロプロセッサ１７は、スイッチ１６の操作に応じて動作モードが薬品類セットモードか薬品類使用モードかの何れかになり、薬品類セットモードでは、ラベルリーダ１８から入力された薬品識別情報とその入力後にタグリーダ１５で読み取れるようになった電子タグ識別情報とを一対一の組データにして記憶し、そのような組データを蓄積することで薬品類セットデータを構築するようになっている。また、薬品類使用モードでは、薬品類セットデータの組データのうち、タグリーダ１５で読み取れなくなった電子タグ識別情報を含む組データに対して、使用済みフラグとタイムスタンプとを付加し、再びタグリーダ１５で読み取れるようになった電子タグ識別情報を含む組データに対して、戻しフラグとタイムスタンプとを付加するようになっている。それらのデータを集計等のため適宜な無線通信や有線ＬＡＮ等を介してホストコンピュータに送信するようにもなっている。
【００１９】
薬品座具２０は、検知装置１０とは別体のものであり、薬品類セット用のトレーである検知装置１０のトレー部１３に複数個を入れられる大きさに形成されている。検知装置１０の持ち運び等でトレー部１３における検知装置１０の並びが不所望に乱れないよう、薬品座具２０の下面には、粗面加工を施したり、弱い粘着性を付与するのも良い。薬品座具２０のサイズは統一されていても様々であっても良いが、薬品座具２０には薬品類８を一つずつ摘み出し易い状態で収容するので、薬品座具２０は、アンプルやバイアル等に納めた薬品類８を一つ載せて置ける座体部２１と、その薬品類８によって位置を規制される可動部２６と、この可動部１６の位置に応じてトレー部１３収納中は下方のアンテナ１４を介するタグリーダ１５との通信の可否状態が切り替わる電子タグ２３とを具えている。
【００２０】
座体部２１は（図２参照）、可動部２６を円滑摺動可能に保持する底板部２２と、薬品類８を転がり落ちないよう載せておける受座部２３とを具えており、受座部２３のところには電子タグ２４が装着されており、受座部２３と底板部２２との間には可動部２６を案内する間隙２５が形成されている。また、底板部２２の上面のうち可動部２６の位置によって露出したり隠れたりする部位には視認マーク２２ａが描かれている。
可動部２６は、受座部２３より高くて受座部２３上の薬品類８と干渉する干渉部２７と、間隙２５に案内されながら底板部２２上を摺動する遮断部２８とを具えている。遮断部２８は、それ自体が電波遮蔽材で作られても良いが、この例では、電波・電磁波を遮断する導電体膜２９が貼付されており、間隙２５内では電子タグ２４の下方に位置し、間隙２５から出る方に移動すると電子タグ２４の下方からは完全に外れるようになっている。
【００２１】
このような薬品座具２０は（図１，図２参照）、座体部２１の受座部２３に薬品類８を置くとその薬品類８と干渉部２７との干渉によって可動部２６の移動範囲が規制され、この規制によって遮断部２８が電子タグ２４の下から出されて戻れないので、それに伴って電子タグ２４がアンテナ１４を介してタグリーダ１５と通信できる状態（通信可能状態）になる。また、座体部２１の受座部２３から薬品類８を取り出すと、可動部２６の規制が解除されるため、遮断部２８の移動範囲が広がって遮断部２８が電子タグ２４の下に入り込めることになるので、それに伴って電子タグ２４がアンテナ１４を介してタグリーダ１５と通信できない状態（通信不可状態）を採りうるものともなっている。
【００２２】
この実施例１の薬品セット装置１０＋２０について、その使用態様及び動作を説明する。
【００２３】
使用に先立って、調剤指示箋などに基づいて必要な個数の薬品座具２０を確保し、それぞれの薬品座具２０について、干渉部２７を指先等で押して遮断部２８を間隙２５に差し込ませ、通信不可状態にしてから、検知装置１０のトレー部１３に入れて並べておく。
そして、例えば手術前室や準備室で、薬品類をセットする時には、調剤指示箋などに基づいてセットすべき薬品類８を取り揃えるとともに、スイッチ１６を操作して検知装置１０の動作モードを薬品類セットモードにする。それから、薬品類８を一つずつ検知装置１０にセットする。
【００２４】
そのセット作業は、具体的には、摘んで持ち上げた薬品類８を先ずラベルリーダ１８にかざして、そのラベルをラベルリーダ１８に読み取らせ、それから薬品類８を空いている薬品座具２０に載せ置くという手順で行われ、薬品類８は薬品座具２０を介在させてトレー部１３に入れられる。その際、薬品類８を薬品座具２０に載せるときには、薬品類８で干渉部２７を押して可動部２６を移動させる（図１（ｂ），（ｃ），図２（ｃ），（ｄ）参照）。これにより、薬品類８をセットする一動作に随伴して、遮断部２８が電子タグ２４の下から外れる。
【００２５】
また、その作業に伴い、検知装置１０では（図１（ａ），（ｄ）参照）、かざされた薬品類８からラベルリーダ１８によって薬品識別情報が読み取られ、薬品類８を載せ置かれた薬品座具２０の電子タグ２４からアンテナ１４及びタグリーダ１５によって電子タグ識別情報が読み取られ、それらの薬品識別情報と電子タグ識別情報とがマイクロプロセッサ１７によって組データにされ蓄積される。こうして、セットすべき薬品類８が総て検知装置１０のトレー部１３にセットされたときには、それに随伴したマイクロプロセッサ１７の自動処理によって薬品類セットデータが構築されるので、薬品類のセット状況が把握されることとなる。
【００２６】
その後、例えば手術室で、セット済み薬品類を使用する時には、スイッチ１６を操作して検知装置１０の動作モードを薬品類使用モードに切り替えておく。それから、薬品類８が必要になる度に、その薬品類８を摘み上げて使用し、使用した薬品類８の不要になった容器等は適宜廃棄する。なお、使用する薬品類８を摘んで薬品座具２０から取り出すときには、必ず、薬品類８を摘むのに用いていない指の先などを干渉部２７に掛けて、可動部２６を受座部２３側へ寄せることも、行う。これにより、薬品類８を取り出す一動作に随伴して、遮断部２８が電子タグ２４の下に来てアンテナ１４と電子タグ２４との間に位置するので、薬品座具２０の電子タグ２４が通信不可状態になる。
【００２７】
また、その作業に伴って、検知装置１０では、薬品類８を取り出された薬品座具２０の電子タグ２４から電子タグ識別情報が読み取れなくなり、それに応じてマイクロプロセッサ１７によって、薬品類セットデータの組データのうち、タグリーダ１５で読み取れなくなった電子タグ識別情報を含む組データに対して、使用済みフラグとタイムスタンプとが付加される。こうして、セット済み薬品類８が使用されたときには、その取出に随伴したマイクロプロセッサ１７の自動処理によって薬品類セットデータに使用時の情報が追加されるので、薬品類の使用状況が把握されることとなる。
【００２８】
さらに、トレー部１３から取り出した薬品類８の使用を中止したときには薬品類８を元の薬品座具２０に戻せば良い。
そうすると、その作業に伴い、検知装置１０では、再びタグリーダ１５で読み取れるようになった電子タグ識別情報を含む組データに対して、戻しフラグとタイムスタンプとが付加されるので、薬品類の使用状況が取り出しだけでなく戻しまで含めて把握されることとなる。
【００２９】
こうして、薬品類セットデータが成長し、それが随時又は適当な時期にホストコンピュータに送信されると、多数の薬品類セットに係るセット状況や使用状況が収集される。
なお、薬品類８を取り出したが可動部２６を移動させるのを忘れた薬品座具２０は視認マーク２２ａを見れば容易かつ確実に確認できるので、気づいたときに可動部２６を移動させておけば、少なくとも使用の有無については的確に把握することができる。
【実施例２】
【００３０】
本発明の薬品セット装置の実施例２について、その具体的な構成を、図面を引用して説明する。図３は、薬品座具３０の構造を示し、（ａ）が空の状態の平面図と正面図と左側面図、（ｂ）が薬品類８を出し入れしているところの正面図、（ｃ）が薬品類８を入れた状態の平面図と正面図と左側面図である。
【００３１】
この薬品セット装置１０＋３０が上述した実施例１の薬品セット装置１０＋２０と相違するのは、薬品座具２０に代えて薬品座具３０が導入された点である。
薬品座具３０が上述した実施例１の薬品座具２０と相違するのは、座体部が箱形になって底板部２２や受座部２３の側面が四方とも側板３２で囲まれている点と、電子タグ２４が通信不可状態を採るように可動部２６を付勢する手段として付勢バネ３１が設けられた点である。この例では二本の付勢バネ３１が遮断部２８の両脇に分かれて干渉部２７と座体部３２とに取り付けられている。
【００３２】
この場合、薬品座具３０から薬品類８を取り出すと、付勢バネ３１による可動部２６の付勢によって遮断部２８が電子タグ２４の下方に差し込まれるので、自動で電子タグ２４が検出されなくなる。一方、付勢バネ３１の付勢力は弱いので、薬品類８を受座部２３に載せ置くときには薬品類８で干渉部２７を軽く押せば簡単に可動部２６が移動する。
そのため、薬品類８を出し入れするときに、可動部２６の随伴操作を忘れたような場合でも電子タグ２４の通信状態が適切な状態に切り替わるので、薬品類のセット状況や使用状況がより一層的確に把握される。また、座体部（２２＋３２）が箱形になっているので、薬品類８が薬品座具２０から転げ落ちるという不所望な事態が発生することもほとんどない。
【実施例３】
【００３３】
本発明の薬品セット装置の実施例３について、その具体的な構成を、図面を引用して説明する。図４は、薬品座具４０の構造を示し、（ａ）が空の状態の外観斜視図、（ｂ）が薬品類８を入れた状態の外観斜視図である。
【００３４】
この薬品セット装置１０＋４０が上述した実施例２の薬品セット装置１０＋３０と相違するのは、薬品座具３０に代えて薬品座具４０が導入された点である。
薬品座具４０が上述した実施例２の薬品座具３０と相違するのは、座体部（２２＋３２）が受座部２３や間隙２５の無い単純な箱形の座体部４１になっている点と、可動部２６が座体部４１の解放上面に蓋の如く設けられた可動部４２になった点である。
【００３５】
可動部４２は、一辺部が座体部４１の上縁部にヒンジ等で連結されるとともに、バネ等の付勢力によって、空のときには水平になっているが（図４（ａ）参照）、薬品座具４０に薬品類８を入れると薬品類８に押し下げられて鉛直になる（図４（ｂ）参照）。このような可動部４２に電子タグ２４が貼り付けられているので、電子タグ２４も、薬品座具４０に薬品類８を入れると鉛直（縦向き）になり、薬品座具４０から薬品類８を取り出すと水平（横向き）に戻るようになっている。
【００３６】
この薬品座具４０の場合、座体部４１に薬品類８を置くと、その薬品類８と可動部４２との干渉によって可動部４２の姿勢が縦向きに規制され、それに伴って電子タグ２４も縦向きになるので、電子タグ２４がアンテナ１４に対して通信不可状態になる。これに対し、座体部４１から薬品類８を取り出すと、可動部２６の規制が解除されて、可動部４２ひいては電子タグ２４が横向きに戻るので、電子タグ２４がアンテナ１４に対して通信可能状態になる。
【００３７】
このように、薬品座具４０を検知装置１０と一緒に用いる場合、検知装置１０のマイクロプロセッサ１７のプログラムを、電子タグ識別情報の読出［可／不可］に対応して薬品類の［有／無］を判別するものから、電子タグ識別情報の読出［可／不可］に対応して薬品類の［無／有］を判別するものに少々改造しておけば、上述したのとほぼ同様に使用することができる。ただし、電子タグ２４から電子タグ識別情報が読み取れなくなったのが、薬品座具２０から薬品類８が取り出されたことによるのか、薬品類８の取り出しを伴うことなく空の薬品座具２０がトレー部１３から取り出されたのかを区別するのが困難なので、空の薬品座具２０の取り出しは控えるべきである。また、薬品類８を入れたまま薬品座具４０をトレー部１３から取り出すのも検出できないので控えなければならない。
【実施例４】
【００３８】
本発明の薬品セット装置の実施例４について、その具体的な構成を、図面を引用して説明する。図５は、薬品座具５０の構造を示し、（ａ）が空の状態の外観斜視図と左側面図、（ｂ）が薬品類８を入れた状態の外観斜視図と左側面図である。
【００３９】
この薬品セット装置１０＋５０が上述した実施例２の薬品セット装置１０＋４０と相違するのは、薬品座具４０に代えて薬品座具５０が導入された点である。
薬品座具５０は、薬品座具４０と同様に、上面解放箱形の座体部５１と、揺動して縦か横に向きを変える板体５２と、この板体５２に貼り付けられた電子タグ２４とを具えているが、薬品座具４０と異なり、板体５２にフィルム５３を加えて可動部が構成され、座体部５１の内底の一辺かその近傍に付勢バネと共に設けられた支軸を中心にして板体５２が揺動するようになっている。フィルム５３は、一辺が板体５２の揺動辺に繋がれ、それと平行な他の辺が座体部５１の上辺に繋がれて、座体部５１の解放上面を塞ぐかのように広がっている。
【００４０】
この薬品座具５０の場合、座体部５１に薬品類８の無い空状態では、板体５２が付勢力によって縦にされるので、電子タグ２４がアンテナ１４に対して通信不可状態になっている。これに対し、座体部５１に薬品類８を入れると、その薬品類８とフィルム５３との干渉によってフィルム５３と共に板体５２が押し下げられて板体５２の姿勢が横向きに規制され、それに伴って電子タグ２４も横向きになるので、電子タグ２４がアンテナ１４に対して通信可能状態になる。さらに、座体部５１から薬品類８を取り出すと、可動部５２＋５３の規制が解除されて、板体５２ひいては電子タグ２４が縦向きに戻るので、電子タグ２４がアンテナ１４に対して通信不可状態に戻る。
【００４１】
このように、薬品座具５０は、薬品座具４０と異なり、薬品座具３０に似て、座体部５１に薬品類８を置くとその薬品類８とフィルム５３との干渉によって板体５２の姿勢が規制されるのに伴って電子タグ２４が通信可能状態になり、座体部５１から薬品類８を取り出すと可動部５２＋５３の規制が解除されて電子タグ２４が通信不可状態になる。そのため、薬品座具５０を検知装置１０と一緒に用いる場合、上述した実施例２とほぼ同様に使用することができる。
【実施例５】
【００４２】
本発明の薬品セット装置の実施例５について、その具体的な構成を、図面を引用して説明する。図６は、薬品座具６０の構造を示し、（ａ）が空の薬品座具６０の外観斜視図、（ｂ）が薬品類８と薬品座具６０との外観斜視図である。
【００４３】
この薬品セット装置１０＋６０が上述した実施例１の薬品セット装置１０＋２０と相違するのは、薬品座具２０に代えて薬品座具６０が導入された点であり、薬品座具６０が薬品座具２０と相違するのは、座体部２１の底板部２２に代えて座体部６１には上面傾斜の底板部６２が採用されている点である。
具体的には、底板部６２は、可動部２６の遮断部２８が摺動する面である上面が傾斜しているが、間隙２５側が低く干渉部２７の出て行く方が高く形成されているため、可動部２６を座体部６１の傾斜面に載せると、重力によって可動部２６が座体部６１の上面を滑り落ちるので、自然に遮断部２８が間隙２５に入り込むようになっている。
【００４４】
このような薬品座具６０では、空のときには（図６（ａ）参照）、遮断部２８が電子タグ２４の下に位置して、電子タグ２４が通信不可状態になる。これに対し、薬品類８を載せると（図６（ｂ）参照）、薬品類８によって干渉部２７が押され、遮断部２８が電子タグ２４の下から外れるので、電子タグ２４が通信可能状態になる。このように、電子タグ２４が通信不可状態になるように可動部２６を付勢する手段が重力を利用する傾斜姿勢によって実現されているので、薬品座具３０のような付勢バネ３１（付勢部材）を明示的に設けなくても良い。
【００４５】
なお、座体部６１の上面傾斜に随伴させて電子タグ２４も傾けて装着する場合、斜度は電子タグ２４とアンテナ１４との通信を損なわない程度に抑えることが必要になるが、電子タグ２４の斜度さえ抑えれば座体部６１の上面の傾斜は制約されない。
この場合、付勢バネ３１は無くても可動部２６が重力によって傾斜方向に付勢されるため、薬品類８を出し入れするときに、可動部２６の随伴操作を忘れたような場合でも電子タグ２４の通信状態が適切な状態に切り替わるので、薬品類のセット状況や使用状況が的確に把握される。
【実施例６】
【００４６】
本発明の薬品セット装置の実施例６について、その具体的な構成を、図面を引用して説明する。図７は、薬品セット装置７０＋２０の外観斜視図である。
【００４７】
この薬品セット装置７０＋２０が上述した実施例１の薬品セット装置１０＋２０と相違するのは、検知装置１０に代えて検知装置７０が導入された点である。
検知装置７０が検知装置１０と相違するのは、トレー部１３に代わるトレー部７３が傾斜している点である。アンテナ１４もほぼ同じだけ傾斜している。
【００４８】
この場合、薬品座具２０をトレー部７３に入れるときに、受座部２３及び間隙２５側を傾斜下方に向け干渉部２７の出て行く方を傾斜上方に向けておく。そうすると、可動部２６の摺動面である座体部２１の上面が上述の座体部６１と同様に傾斜するので、空のときには遮断部２８が電子タグ２４の下に位置して電子タグ２４が通信不可状態になる一方、薬品類８を載せるとそれに干渉部２７が押されて遮断部２８が電子タグ２４の下から外れて電子タグ２４が通信可能状態になる。
【００４９】
このように、この場合も、電子タグ２４が通信不可状態になるように可動部２６を付勢する手段が重力を利用する傾斜姿勢によって実現されるので、付勢バネ３１は無くても良い。そして、薬品類８を出し入れするときに、可動部２６の随伴操作を忘れたような場合でも電子タグ２４の通信状態が適切な状態に切り替わるので、薬品類のセット状況や使用状況が的確に把握される。
【００５０】
［その他］
上記実施例ではトレー部１３がアンテナ１４の保持部と一体化されてアンテナ１４の上方に固定されていたが、トレー部１３は、アンテナ１４の保持部や電装部１２と別体であっても良く、その場合、アンテナ１４の保持部をトレー台に形成しておけば、アンテナ１４の上方に載置されるものとなる。
電子タグ２４は、電池内蔵式のものでも良く、受信した搬送波を整流して動作電力を生成するものでも良い。搬送波に電波を用いるものでも良く電磁波を用いるものでも良く交番磁界を利用するものでも良い。
薬品座具２０，３０，５０は検知装置１０に対して混在使用が可能である。
【図面の簡単な説明】
【００５１】
【図１】本発明の実施例１について、薬品セット装置の構造を示し、（ａ）が装置全体の外観斜視図、（ｂ）が空の薬品座具の外観斜視図、（ｃ）が薬品類と薬品座具との外観斜視図、（ｄ）が電子回路のブロック図である。
【図２】薬品座具の詳細構造を示し、（ａ）が座体部の平面図と正面図と左側面図、（ｂ）が可動部の平面図と正面図と左側面図、（ｃ）が空の薬品座具の平面図と正面図、（ｄ）が薬品類を乗せ置いた薬品座具の平面図と正面図である。
【図３】本発明の実施例２について、薬品座具の構造を示し、（ａ）が空の状態の平面図と正面図と左側面図、（ｂ）が薬品類出入時の正面図、（ｃ）が薬品類を入れた状態の平面図と正面図と左側面図である。
【図４】本発明の実施例３について、薬品座具の構造を示し、（ａ）が空の状態の外観斜視図、（ｂ）が薬品類を入れた状態の外観斜視図である。
【図５】本発明の実施例４について、薬品座具の構造を示し、（ａ）が空の状態の外観斜視図と左側面図、（ｂ）が薬品類を入れた状態の外観斜視図と左側面図である。
【図６】本発明の実施例５について、薬品座具の構造を示し、（ａ）が空の薬品座具の外観斜視図、（ｂ）が薬品類と薬品座具との外観斜視図である。
【図７】本発明の実施例６について、薬品セット装置の外観斜視図である。
【符号の説明】
【００５２】
８…薬品類、
１０…検知装置、１２…電装部、１３…トレー部、
１４…アンテナ、１５…タグリーダ、１６…スイッチ（ＳＷ）、
１７…マイクロプロセッサ（ＭＰＵ）、１８…ラベルリーダ、
２０…薬品座具、２１…座体部、２２…底板部、２３…受座部、
２４…電子タグ（ＩＣタグ，ＲＦタグ）、２５…間隙、
２６…可動部、２７…干渉部、２８…遮断部、２９…導電体膜、
３０…薬品座具、３１…付勢バネ、３２…側板（座体部）、
４０…薬品座具、４１…座体部、４２…可動部、
５０…薬品座具、５１…座体部、５２…板体、５３…フィルム、
６０…薬品座具、６１…座体部、６２…底板部、
７０…検知装置、７３…トレー部
【図１】
0004964101.tif 000002
【図２】
0004964101.tif 000003
【図３】
0004964101.tif 000004
【図４】
0004964101.tif 000005
【図５】
0004964101.tif 000006
【図６】
0004964101.tif 000007
【図７】
0004964101.tif 000008